(57)【特許請求の範囲】
【請求項１】
吸引した塵埃を含む空気を流通させる機能を有し、空気の流通経路において塵埃の濃度を高めた空気が排出される集塵室を備えた電気掃除機であって、
ダスト成分を採取するダスト採取スティックと、
前記集塵室内の空気の流通経路の側面に設けられ、前記ダスト採取スティックが前記集塵室外から設置される開口と、
を備え、
前記ダスト採取スティックは、前記集塵室内の空気の流通経路の一部に露出した状態で前記開口に設置され、前記集塵室内の空気からダスト成分を採取すること
を特徴とする電気掃除機。
【請求項２】
吸引した塵埃を含む空気を流通させる機能を有し、空気の流通経路において塵埃の濃度を高めた空気が排出される集塵室を備えた電気掃除機に設置されるダスト採取スティックであって、
本体部と、
前記本体部と一体に設けられ、ダスト成分を採取する採取部と、
を備え、
前記本体部は、前記集塵室内の空気の流通経路の側面に設けられた開口に、空気の流通経路の一部に前記採取部が露出した状態で前記集塵室外から設置され、
前記採取部は、前記集塵室内の空気からダスト成分を採取すること
を特徴とするダスト採取スティック。
【発明の詳細な説明】
【技術分野】
【０００１】
本発明は、ダスト成分を採取する機能を有した電気掃除機およびダスト採取スティックに関する。
【背景技術】
【０００２】
従来から、屋内環境を診断することを目的として、屋内空間からダスト成分を採取することが行われている。例えば、屋内環境における、アレルギー疾病に関連する物質の濃度を診断するために、綿棒を使用して屋内空間からダスト成分を採取するサービスが実現されている。このサービスでは、水分を染み込ませた綿棒を使用して、屋内空間の壁面、床面またはカーペットといった採取面を拭き取ることで、綿棒にダスト成分を付着させる。【０００３】
しかしながら、ダスト成分の採取面を綿棒で拭き取るときの力加減に応じてダスト成分の採取量にばらつきが生じる。例えば、綿棒が採取面に強く押し付けられた場合、ダスト成分が多く採取され、綿棒が採取面に押し付けられた力が弱ければ、ダスト成分が少なく採取される。このようなダスト成分の採取量のばらつきは、屋内環境の診断の精度を低下させる要因となる。【０００４】
これに対して、特許文献１に記載される抗原検出装置では、抗原を採取する構造体が、電気掃除機の本体部に連結されたパイプの１つのセクション内に挿入されている。抗原を採取する構造体は、抗原を保持するための抗体でコートされたナイロンメッシュを備えている。抗原を採取する構造体は、電気掃除機の吸込口体に繋がるパイプと、電気掃除機の本体部から延びたホースに繋がるパイプとの間に設けられて、これらのパイプを接続している。【０００５】
電気掃除機の本体部からの吸引力によって吸込口体からパイプを流通した空気は、抗原を採取する構造体が備えるナイロンメッシュを通過してから、電気掃除機の本体部へ流入する。特許文献１に記載される抗原検出装置では、ナイロンメッシュによって電気掃除機の一定の吸引力で流通させた空気から抗原（ダスト成分）が採取されるので、綿棒を使用する場合よりもダスト成分の採取量のばらつきが低減される。
【先行技術文献】
【特許文献】
【０００６】
【特許文献１】特表平７−５０４７４５号公報
【発明の概要】
【発明が解決しようとする課題】
【０００７】
特許文献１に記載された抗原検出装置では、電気掃除機の空気の吸引経路（流通経路）にナイロンメッシュが介在しているので、吸込口体から吸引された空気が本体部へ流れるためには、ナイロンメッシュを通過する必要がある。このため、吸込口体から吸引された空気に含まれる塵埃によってナイロンメッシュの細孔が塞がれた場合、電気掃除機の空気吸引力（空気を流通させる性能）が低下するという課題があった。【０００８】
本発明は上記課題を解決するものであり、空気を流通させる性能を維持しつつ、ダスト成分を採取することができる電気掃除機およびダスト採取スティックを得ることを目的とする。
【課題を解決するための手段】
【０００９】
本発明に係る電気掃除機は、吸引した塵埃を含む空気を流通させる機能を有し、空気の流通経路において塵埃の濃度を高めた空気が排出される集塵室を備えた電気掃除機であって、ダスト成分を採取するダスト採取スティックと、集塵室内の空気の流通経路の側面に設けられ、ダスト採取スティックが集塵室外から設置される開口とを備え、ダスト採取スティックは、集塵室内の空気の流通経路の一部に露出した状態で開口に設置され、集塵室内の空気からダスト成分を採取する。
【発明の効果】
【００１０】
本発明によれば、ダスト採取スティックが、家電製品によって流通された空気の流通経路の一部に露出した状態で当該家電製品に設置され、当該流通経路の空気からダスト成分を採取する。流通経路において、空気は、ダスト採取スティックが露出している部分以外を流通することができる。これにより、本発明に係る家電製品は、空気を流通させる性能を維持しつつ、ダスト成分を採取することができる。
【図面の簡単な説明】
【００１１】
【図１】実施の形態１に係る電気掃除機を示す正面図である。
【図２】実施の形態１に係る電気掃除機の本体部から集塵部が外された状態を示す側面図である。
【図３】実施の形態１に係るダスト採取スティックが設置された集塵部の構成を示す断面図である。
【図４】実施の形態１に係るダスト採取スティックを示す平面図である。
【図５】実施の形態１に係るダスト採取スティックの変形例が設置された集塵部の構成を示す断面図である。
【図６】実施の形態１に係るダスト採取テープを示す平面図である。
【図７】図７Ａは、実施の形態１に係る電気掃除機が備えるパイプを示す斜視図であり、図７Ｂは、図７Ａの領域Ａを示す拡大斜視図である。
【図８】図８Ａは、実施の形態１に係る電気掃除機が備える吸込口体を示す底面図であり、図８Ｂは、図８Ａの吸込口体が備える回転ブラシの一部に設置されたダスト採取ブラシ部を示す斜視図である。
【図９】実施の形態２に係る空気調和機の前面パネルを開けた状態を示す斜視図である。
【図１０】図１０Ａは、実施の形態２に係るダスト採取シートを示す平面図であり、図１０Ｂは、実施の形態２に係るダスト採取テープを示す平面図である。
【図１１】実施の形態３に係る空気清浄機の構造を示す分解斜視図である。
【図１２】実施の形態４に係る除湿機のフィルタカバーを開けた状態を示す斜視図である。
【図１３】図１３Ａは、実施の形態５に係る換気扇を示す斜視図であり、図１３Ｂは、実施の形態５に係るダスト採取シートが設置されたフィルタが図１３Ａの枠体から外された状態を示す斜視図である。
【図１４】実施の形態６に係る扇風機の前面ガード部材を外した状態を示す斜視図である。
【発明を実施するための形態】
【００１２】
実施の形態１．
図１は、実施の形態１に係る電気掃除機１を示す正面図であり、空気を流通させる機能を有した家電製品として電気掃除機１を示したものである。図１に示すように、電気掃除機１は、本体部２、パイプ３および吸込口体４を備える。本体部２で発生された吸引風によって吸込口体４から吸い込まれた空気は、パイプ３を通って本体部２へ流入し、本体部２で塵埃が取り除かれてから外部に排出される。
【００１３】
パイプ３は、中空管状の部材である。パイプ３は、一方の端部が本体部２に連結され、他方の端部が吸込口体４に連結される。また、パイプ３には、本体部２と吸込口体４とを通電させるための導電部材が内蔵されている。本体部２から吸込口体４に電源を供給することによって、吸込口体４の後述する回転ブラシが回転する。
【００１４】
吸込口体４は、本体部２の電動送風機が発生した吸引風によって被掃除面のゴミおよび空気を吸い込む。被掃除面としては、床面などの水平な面を想定している。吸込口体４には、被掃除面に転がり接触するための車輪が設けられ、さらに、吸込口体４は回転ブラシを備える。回転ブラシは、吸込口体４に内蔵されたモータの回転力が伝達されて回転することで、被掃除面の塵埃が掻き上げられる。
【００１５】
本体部２は、外郭部２ａ、ハンドル２ｂおよび集塵部２ｃを備える。外郭部２ａには、電気掃除機１の吸引風を発生する電動送風機と、この電動送風機の電源であるバッテリが内蔵されている。さらに、外郭部２ａには、集塵部２ｃにおいて塵埃が取り除かれた空気を外部に排出する排気口が設けられている。
【００１６】
ハンドル２ｂは、電気掃除機１を使用する使用者が手で握る部位である。また、ハンドル２ｂには、電動送風機の動作モードを選択するための操作部が設けられている。動作モードとして、例えば、電動送風機が発生する吸引風の強さを示す“強”、“中”、“弱”があり、これらを自動で設定することを示す“自動”、電気掃除機１の電源のオフを示す“停止”を選択することができる。
【００１７】
集塵部２ｃは、電動送風機が発生した吸引風によって本体部２に吸い込まれた空気から塵埃を捕集する。図２は、電気掃除機１の本体部２から集塵部２ｃが外された状態を示す側面図である。図２に示すように、集塵部２ｃは、本体部２に対して着脱可能に取り付けられている。例えば、集塵部２ｃでは、電動送風機が発生した吸引風によって空気が旋回されて空気から塵埃が分離される。
【００１８】
図３は、実施の形態１に係るダスト採取スティック５が設置された集塵部２ｃの構成を示す断面図である。図３に示すように、集塵部２ｃは、ケース部２１および集塵容器２２を備える。ダスト採取スティック５は、集塵容器２２に設置される。ケース部２１には、塵埃が含まれる空気を、集塵部２ｃの内部に流入させるための流入口２１ａが形成されている。さらに、ケース部２１の上部には、フィルタ部２３が着脱可能に収容されている。
【００１９】
フィルタ部２３の下部には、排出部２４、円錐部２５、隔壁部２６および集塵容器２２が順に配置される。集塵部２ｃにおいて、排出部２４の外側には円錐部２５が配置され、円錐部２５の外側には隔壁部２６が配置され、円錐部２５および隔壁部２６は、集塵容器２２の内側に配置されている。集塵容器２２の内側かつ円錐部２５の外側の空間は、第１の集塵室２２ａであり、隔壁部２６の内側かつ円錐部２５の外側の空間は、第２の集塵室２２ｂである。また、排出部２４の外側かつ円錐部２５の内側の空間は、旋回室２５ａである。
【００２０】
排出部２４の側壁には、複数の微細孔が形成されている。フィルタ部２３は、排出部２４の複数の微細孔を介して旋回室２５ａと通じている。また、円錐部２５の側壁には、第１の開口２５ａ１が形成され、円錐部２５の底部には、第２の開口２５ａ２が形成されている。第１の集塵室２２ａは、第１の開口２５ａ１を介して旋回室２５ａと通じている。第２の集塵室２２ｂは、第２の開口２５ａ２を介して旋回室２５ａと通じている。
【００２１】
流入口２１ａから流入した塵埃を含む空気は、旋回室２５ａに導かれる。旋回室２５ａでは、塵埃を含む空気が旋回されて空気から塵埃が遠心分離される。旋回室２５ａで塵埃が分離された空気は、排出部２４の複数の微細孔を介して、フィルタ部２３に流入する。この後、フィルタ部２３へ流入した空気は、フィルタ部２３によって塵が分離された後、本体部２の外部へ排出される。
【００２２】
また、旋回室２５ａで分離された塵埃、すなわち、旋回室２５ａにおいて塵埃の濃度が高められた空気は、第１の開口２５ａ１から第１の集塵室２２ａに排出され、第２の開口２５ａ２から第２の集塵室２２ｂに排出される。このように、集塵部２ｃでは、電気掃除機１によって吸引された空気が、旋回室２５ａから第１の開口２５ａ１へ流通する流通経路と、旋回室２５ａから第２の開口２５ａ２へ流通する流通経路が形成される。これらの流通経路は、家電製品内部に形成された空気の流通経路である。
【００２３】
図３に示すように、集塵容器２２の側壁には開口２２ｃが形成されている。開口２２ｃは、ダスト採取スティック５が挿入されて設置される被設置部である。開口２２ｃの周縁部には、弾性体で形成されたパッキン２７が設けられ、パッキン２７には、漏れ防止弁２７ａが一体に形成されている。ダスト採取スティック５が開口２２ｃに挿入されていないとき、漏れ防止弁２７ａは、パッキン２７側に密着して開口２２ｃを塞いだ状態になり、第１の集塵室２２ａを流通する空気が集塵部２ｃの外部に漏れないようになっている。
【００２４】
図４は、実施の形態１に係るダスト採取スティック５を示す平面図である。図４に示すように、ダスト採取スティック５は、ダスト成分を採取する採取部５ａと、採取部５ａが一体に設けられた本体部５ｂとを有するスティック状の部材である。本体部５ｂは、採取部５ａよりも広い幅を有している。図３に示したように、開口２２ｃに対するダスト採取スティック５の挿入は、幅広の本体部５ｂによって係止される。このとき、開口２２ｃの周縁部のパッキン２７がダスト採取スティック５に密着することで、第１の集塵室２２ａの空気が外部に漏れることが防止される。このようにして、ダスト採取スティック５は、開口２２ｃに設置される。
【００２５】
第１の集塵室２２ａには、第１の開口２５ａ１を介して旋回室２５ａから流入した空気の流通経路が形成されている。ダスト採取スティック５が開口２２ｃに設置されることにより、第１の集塵室２２ａ内に形成された空気の流通経路の一部に採取部５ａが露出した状態となる。第１の集塵室２２ａでは、採取部５ａによって空気からダスト成分が採取されるが、採取部５ａ以外の部分では、空気が流通している。このように、第１の集塵室２２ａ内の空気の流れが遮断されないため、電気掃除機１は、空気を流通させる性能を維持しつつ、ダスト採取スティック５によるダスト成分の採取を行うことができる。
【００２６】
ダスト成分は、環境診断対象のダスト成分であり、例えば、電気掃除機１によって流通された空気に含まれる、塵埃、煙、花粉、ウィルス、カビ、菌、アレルゲン、臭気物質、ダニ、ダニ由来の物質（糞、死骸、破片）、または揮発性有機化合物である。また、採取部５ａは、分析対象のダスト成分を採取可能な部材であればよい。例えば、採取部５ａは、空気中の塵埃を細孔で吸着するフィルタであってもよいし、粘着性によって塵埃を採取する粘着剤であってもよい。
【００２７】
また、図５は、実施の形態１に係るダスト採取スティックの変形例である、ダスト採取スティック５Ａが設置された集塵容器２２の構成を示す断面図である。図５において、図３と同一の構成要素には同一の符号を付して説明を省略する。図５に示すように、集塵容器２２の側壁には、開口２２ｃ１が形成され、隔壁部２６の側壁には、開口２２ｃ２が形成されている。開口２２ｃ１および開口２２ｃ２は、ダスト採取スティック５Ａが挿入されて設置される被設置部である。
【００２８】
開口２２ｃ１の周縁部には、弾性体で形成されたパッキン２７が設けられ、パッキン２７には、漏れ防止弁２７ａが一体に形成されている。開口２２ｃ２の周縁部には、弾性体で形成されたパッキン２８が設けられ、パッキン２８には、漏れ防止弁２８ａが一体に形成されている。
【００２９】
ダスト採取スティック５Ａが開口２２ｃ１と開口２２ｃ２とに挿入されていないとき、漏れ防止弁２７ａは、パッキン２７に密着して開口２２ｃ１を塞いだ状態になっており、漏れ防止弁２８ａは、パッキン２８に密着して開口２２ｃ２を塞いだ状態になっている。これにより、第１の集塵室２２ａを流通する空気が、集塵部２ｃの外部に漏れないようになっており、第２の集塵室２２ｂを流通する空気が、第１の集塵室２２ａに漏れないようになっている。
【００３０】
図５に示すように、開口２２ｃ１と開口２２ｃ２に対するダスト採取スティック５Ａの挿入は、幅広の本体部５ｂによって係止される。このとき、開口２２ｃ１の周縁部のパッキン２７がダスト採取スティック５Ａに密着し、開口２２ｃ２の周縁部のパッキン２８がダスト採取スティック５Ａに密着する。これにより、第１の集塵室２２ａの空気が外部に漏れることが防止され、第２の集塵室２２ｂの空気が第１の集塵室２２ａに漏れることが防止される。このようにして、ダスト採取スティック５Ａは、開口２２ｃ１と開口２２ｃ２に設置される。
【００３１】
第２の集塵室２２ｂには、第１の集塵室２２ａと同様に、第２の開口２５ａ２を介して旋回室２５ａから流入した空気の流通経路が形成されている。ダスト採取スティック５Ａが開口２２ｃ１および開口２２ｃ２に設置されることで、第２の集塵室２２ｂに形成された空気の流通経路の一部に採取部５ａが露出した状態となる。第２の集塵室２２ｂでは、採取部５ａによって空気からダスト成分が採取されるが、採取部５ａ以外の部分では、空気が流通している。このように第２の集塵室２２ｂ内の空気の流れが遮断されないため、電気掃除機１は、空気を流通させる性能を維持しつつ、ダスト採取スティック５Ａによるダスト成分の採取を行うことができる。
【００３２】
また、実施の形態１に係る家電製品は、ダスト採取スティック５またはダスト採取スティック５Ａの代わりに、ダスト採取テープを備えてもよい。
図６は、実施の形態１に係るダスト採取テープ５Ｂを示す平面図である。ダスト採取テープ５Ｂは、採取部５ｃおよびテープ部５ｄを備える。テープ部５ｄは、一方の面が接着面になっているテープ部材であり、接着面ではない他方の面上に採取部５ｃが担持されている。採取部５ｃは、空気の流れに暴露されると、当該空気からダスト成分を採取する。採取部５ｃは、例えば、空気中の塵埃を細孔で吸着するフィルタであってもよいし、粘着性によって塵埃を採取する粘着剤であってもよい。
【００３３】
図７Ａは、電気掃除機１が備えるパイプ３を示す斜視図であり、ダスト採取テープ５Ｂが設置されたパイプ３を示している。また、図７Ｂは、図７Ａの領域Ａを示す拡大斜視図である。図７Ａの領域Ａおよび図７Ｂに示すように、パイプ３のいずれかの端部の壁面には、採取部５ｃがパイプ３の内側に向くようにダスト採取テープ５Ｂが貼り付けられている。パイプ３の内側には、吸込口体４から吸い込まれて本体部２へ流入する空気の流通経路が形成されている。
【００３４】
ダスト採取テープ５Ｂは、パイプ３の内側に形成された空気の流通経路の一部に採取部５ｃが露出するように、パイプ３の内壁面に着脱可能に貼り付けられている。パイプ３の内側は、空気の流通経路の一部に露出した露出部分であり、パイプ３の内側において、採取部５ｃによってダスト成分が採取され、採取部５ｃ以外の部分では、空気が流通する。このように、パイプ３の内側の空気の流れが遮断されないため、電気掃除機１は、空気を流通させる性能を維持しつつ、ダスト採取テープ５Ｂによるダスト成分の採取を行うことができる。
【００３５】
なお、パイプ３に対して、ダスト採取テープ５Ｂの代わりに、ダスト採取スティック５を設置してもよい。この場合、ダスト採取スティック５を設置するための開口がパイプ３の壁面に設けられ、漏れ防止弁が一体に形成されたパッキンが当該開口の周縁部に設けられる。パイプ３の内側では、採取部５ａによってダスト成分が採取され、採取部５ａ以外の部分では空気が流通するので、電気掃除機１は、空気を流通させる性能を維持しつつ、ダスト採取スティック５によるダスト成分の採取を行うことができる。
【００３６】
また、実施の形態１に係る家電製品は、ダスト採取スティック５、ダスト採取スティック５Ａおよびダスト採取テープ５Ｂの代わりに、ダスト採取ブラシ部を備えてもよい。
図８Ａは、電気掃除機１が備える吸込口体４を示す底面図である。図８Ｂは、図８Ａの吸込口体４が備える回転ブラシ４ｂの一部に設置されたダスト採取ブラシ部５Ｃを示す斜視図である。図８Ａに示すように、吸込口体４は、本体部４ａおよび回転ブラシ４ｂを備える。本体部４ａは、パイプ３に連通する空気の吸い込み口を有しており、吸い込み口に回転ブラシ４ｂが配置されている。本体部４ａには、回転ブラシ４ｂを回転させるモータと、モータの回転力を回転ブラシ４ｂに伝えるギア機構が内蔵されている。
【００３７】
回転ブラシ４ｂは、円柱状の回転体と、回転体の外周に設けられた複数のブラシ部から構成されている。この回転体が被設置部であり、回転体に設けられた複数のブラシ部のうちの少なくとも一つが、ダスト採取ブラシ部５Ｃになっている。ダスト採取ブラシ部５Ｃは、図８Ｂに示すように、採取部５ｅおよびブラシ部本体５ｆを備える。
【００３８】
ブラシ部本体５ｆは、回転ブラシ４ｂにおける通常のブラシ部と同じ形状をした部材である。採取部５ｅは、空気の流れに暴露されると、ダスト成分を空気から採取する。採取部５ｅは、例えば、空気中の塵埃を細孔で吸着するフィルタであってもよいし、粘着性によって塵埃を採取する粘着剤であってもよい。
【００３９】
回転ブラシ４ｂが回転することで、被掃除面の塵埃が掻き上げられる。このとき、吸い込み口から吸い込まれ、本体部４ａを経由してパイプ３へ流入する空気の流通経路が形成される。この流通経路の空気には、回転ブラシ４ｂによって掻き上げられた塵埃が含まれている。
【００４０】
ダスト採取ブラシ部５Ｃが回転体に着脱可能に設置されることで、吸込口体４における空気の流通経路の一部に採取部５ｅが露出した状態となる。吸込口体４の吸い込み口の周辺では、採取部５ｅによって空気からダスト成分が採取されるが、採取部５ｅ以外の部分では空気が流通している。このように、吸込口体４における空気の流れが遮断されないため、電気掃除機１は、空気を流通させる性能を維持しつつ、ダスト採取ブラシ部５Ｃによるダスト成分の採取を行うことができる。
【００４１】
なお、ダスト採取ブラシ部５Ｃの代わりに、吸込口体４に対してダスト採取スティック５を設置してもよい。この場合、ダスト採取スティック５を設置するための開口が吸込口体４に設けられ、漏れ防止弁が一体に形成されたパッキンが当該開口の周縁部に設けられる。吸込口体４の内側では、採取部５ａによってダスト成分が採取され、採取部５ａ以外の部分では空気が流通するので、電気掃除機１は、空気を流通させる性能を維持しつつ、ダスト採取スティック５によるダスト成分の採取を行うことができる。
【００４２】
以上のように、実施の形態１に係る電気掃除機１において、ダスト採取スティック５が、電気掃除機１によって流通された空気の流通経路の一部に露出した状態で電気掃除機１に設置され、当該流通経路の空気からダスト成分を採取する。流通経路において、空気は、ダスト採取スティック５が露出している部分以外を流通することができるので、電気掃除機１は、空気を流通させる性能を維持しつつ、ダスト成分を採取することができる。
【００４３】
実施の形態２．
図９は、実施の形態２に係る空気調和機１０の前面パネル１０ａを開けた状態を示す斜視図であり、空気を流通させる機能を有した家電製品として空気調和機１０を示したものである。空気調和機１０は、室内機であり、その内部には熱交換器とクロスフローファンが設けられている。吹き出し口には、風向を調整するルーバー１１が設けられ、熱交換器の前面には、フィルタ１２が配置されている。フィルタ１２は、空気に含まれるダスト成分を除去するフィルタである。ダスト採取シート５Ｄは、フィルタ１２の一部に着脱可能に取り付けられる。
【００４４】
クロスフローファンによって空気調和機１０に取り込まれた空気は、フィルタ１２を通過して熱交換器に送られる。フィルタ１２を通過した空気は、熱交換器によって冷風または温風に変換された後、吹き出し口から流出される。吹き出し口では、ルーバー１１によって風向が調整される。このように、空気調和機１０は、フィルタ１２を通過して熱交換器へ向かう空気の流通経路を形成し、さらに、熱交換器に向かった空気を吹き出し口から流出させる流通経路を形成する。
【００４５】
フィルタ１２の一部には、図９に示すようにダスト採取シート５Ｄが設置されている。また、ルーバー１１は、吹き出し口から吹き出される空気の流通経路に露出した露出部分であり、ルーバー１１の一部にダスト採取テープ５Ｅが着脱可能に貼り付けられる。
なお、空気調和機１０には、ダスト採取シート５Ｄまたはダスト採取テープ５Ｅのうちの少なくとも一方が取り付けられる。
【００４６】
図１０Ａは、実施の形態２に係るダスト採取シート５Ｄを示す平面図であり、図１０Ｂは、実施の形態２に係るダスト採取テープ５Ｅを示す平面図である。ダスト採取シート５Ｄは、採取部５ｇおよび本体部５ｈを備える。本体部５ｈは、採取部５ｇの周縁部を支持する枠体であり、一方の面がフィルタ１２に貼り付けられる接着面になっている。採取部５ｇは、空気の流れに暴露されると、ダスト成分を空気から採取する。採取部５ｇは、例えば、空気中の塵埃を細孔で吸着するフィルタであってもよいし、粘着性によって塵埃を採取する粘着剤であってもよい。
【００４７】
ダスト採取シート５Ｄが、フィルタ１２の一部に着脱可能に設置されることで、前面パネル１０ａから取り込まれて熱交換器へ向かう空気の流通経路の一部に採取部５ｇが露出した状態となる。フィルタ１２において、ダスト採取シート５Ｄが貼り付けられた部分では、採取部５ｇによってダスト成分が採取され、ダスト採取シート５Ｄ以外の部分では、空気が流通する。
【００４８】
ダスト採取テープ５Ｅは、採取部５ｉおよびテープ部５ｊを備える。テープ部５ｊは、一方の面が接着面になっているテープ部材であって、接着面ではない他方の面上に採取部５ｉが担持されている。採取部５ｉは、空気の流れに暴露されると、ダスト成分を空気から採取する。採取部５ｉは、例えば、空気中の塵埃を細孔で吸着するフィルタであってもよいし、粘着性によって塵埃を採取する粘着剤であってもよい。
【００４９】
ダスト採取テープ５Ｅは、空気調和機１０の吹き出し口に形成された空気の流通経路の一部に採取部５ｉが露出した状態で、ルーバー１１に設置されている。ルーバー１１において、ダスト採取テープ５Ｅが貼り付けられた部分では、採取部５ｉによってダスト成分が採取され、ダスト採取テープ５Ｅ以外の部分では、空気が流通する。
【００５０】
このように、空気調和機１０では、ダスト採取シート５Ｄがフィルタ１２の一部に設置されているので、フィルタ１２を通過して熱交換器へ向かう空気の流れが遮断されず、ダスト採取テープ５Ｅがルーバー１１に貼り付けられていても、吹き出し口から流出される空気の流れが遮断されない。空気調和機１０は、空気を流通させる性能を維持しつつ、ダスト採取シート５Ｄおよびダスト採取テープ５Ｅによるダスト成分の採取を行うことができる。
【００５１】
なお、空気調和機１０に対して、ダスト採取シート５Ｄまたはダスト採取テープ５Ｅの代わりに、ダスト採取スティック５を設置してもよい。この場合、ダスト採取スティック５を設置するための開口が、空気調和機１０の空気の流通経路に面した壁面（例えば、本体筐体の側面）に設けられて、漏れ防止弁が一体に形成されたパッキンが当該開口の周縁部に設けられる。このように構成された空気調和機１０であっても、採取部５ａによってダスト成分が採取され、採取部５ａ以外の部分では、空気が流通するので、上記と同様に、空気を流通させる性能を維持しつつ、ダスト採取スティック５によるダスト成分の採取を行うことができる。
【００５２】
以上のように、実施の形態２に係る空気調和機１０において、ダスト採取シート５Ｄとダスト採取テープ５Ｅが、空気調和機１０によって流通された空気の流通経路の一部に露出した状態で設置され、流通経路の空気からダスト成分を採取する。流通経路において、空気は、ダスト採取シート５Ｄおよびダスト採取テープ５Ｅが露出した部分以外を流通することができるので、空気調和機１０は、空気を流通させる性能を維持しつつ、ダスト成分を採取することができる。
【００５３】
実施の形態３．
図１１は、実施の形態３に係る空気清浄機３０の構造を示す分解斜視図であり、空気を流通させる機能を有した家電製品として空気清浄機３０を示したものである。空気清浄機３０は、本体部３１、送風ファン３２、触媒３３、活性炭フィルタ３４、除菌フィルタ３５、プレフィルタユニット３６および吸込パネル３７を備える。
【００５４】
本体部３１は、送風ファン３２と、送風ファン３２を駆動させるモータなどの駆動部を備える。また、本体部３１の上部には、本体部３１と吸込パネル３７との間に形成される吸い込み口から吸い込まれた空気を吹き出す吹き出し口３１ａが設けられている。送風ファン３２は、回転駆動することで、吸い込み口から吸い込み、吹き出し口３１ａから吹き出される空気の流通経路を形成する。
【００５５】
触媒３３は、吹き出し口３１ａから吹き出される前の空気に含まれる臭い成分を吸着して分解する。活性炭フィルタ３４は、空気に含まれる臭い成分を吸着して除去する。除菌フィルタ３５は、空気に含まれる除菌対象成分を吸着して除去する。プレフィルタユニット３６は、空気に含まれるダスト成分を除去するフィルタ３６ａとフィルタ３６ａの一部にダスト採取シート５Ｆを備える。フィルタ３６ａは、空気に含まれるダスト成分を除去するフィルタである。
【００５６】
ダスト採取シート５Ｆは、ダスト採取シート５Ｄと同様に、採取部および本体部を備える。本体部は、採取部の周縁部を支持する枠体であり、一方の面がフィルタ３６ａに貼り付けられる接着面になっている。採取部は、空気の流れに暴露されると、ダスト成分を空気から採取する。採取部は、例えば、空気中の塵埃を細孔で吸着するフィルタであってもよいし、粘着性によって塵埃を採取する粘着剤であってもよい。
【００５７】
吸込パネル３７は、本体部３１に組み合わされるパネルである。吸込パネル３７が本体部３１に組み合わされると、本体部３１と吸込パネル３７の間で両側面および下部に吸い込み口がそれぞれ形成される。送風ファン３２が駆動されて吸い込み口から吸い込まれた空気は、フィルタ３６ａ、除菌フィルタ３５、活性炭フィルタ３４および触媒３３を通過して吹き出し口３１ａから吹き出される。
【００５８】
ダスト採取シート５Ｆがフィルタ３６ａの一部に設置されることにより、吸い込み口を通ってフィルタ３６ａに向かう、ダスト成分を含む空気の流通経路の一部に採取部が露出した状態となる。これにより、プレフィルタユニット３６において、ダスト採取シート５Ｆが設けられた部分では、採取部によってダスト成分が採取され、ダスト採取シート５Ｆ以外の部分では、空気が流通する。
【００５９】
このように、空気清浄機３０では、フィルタ３６ａにダスト採取シート５Ｆが設置されていても、フィルタ３６ａを通過して除菌フィルタ３５へ向かう空気の流れが遮断されない。このため、空気清浄機３０は、空気を流通させる性能を維持しつつ、ダスト採取シート５Ｆによるダスト成分の採取を行うことができる。
【００６０】
なお、空気清浄機３０に対して、ダスト採取シート５Ｆの代わりに、ダスト採取スティック５を設置してもよい。この場合、ダスト採取スティック５を設置するための開口が、空気清浄機３０の空気の流通経路に面した壁面（例えば、本体部３１の側面）に設けられ、漏れ防止弁が一体に形成されたパッキンが当該開口の周縁部に設けられる。このように構成された空気清浄機３０であっても、採取部によってダスト成分が採取され、採取部以外の部分では空気が流通するので、空気を流通させる性能を維持しつつ、ダスト採取スティック５によるダスト成分の採取を行うことができる。
【００６１】
以上のように、実施の形態３に係る空気清浄機３０において、ダスト採取シート５Ｆが、空気清浄機３０によって流通された空気の流通経路の一部に露出した状態で設置され、当該流通経路の空気からダスト成分を採取する。流通経路において、空気は、ダスト採取シート５Ｆが露出している部分以外を流通することができるので、空気清浄機３０は、空気を流通させる性能を維持しつつ、ダスト成分を採取することができる。
【００６２】
実施の形態４．
図１２は、実施の形態４に係る除湿機４０のフィルタカバー４３を開けた状態を示す斜視図であり、空気を流通させる機能を有した家電製品として除湿機４０を示したものである。除湿機４０は、本体部４１、タンク４２、フィルタカバー４３およびフィルタ４４を備える。本体部４１の筐体には、吸い込み口４１ａが形成されており、筐体の内部には、熱交換器および送風ファンを備える。タンク４２には、熱交換器によって冷却された空気から除去された水分が蓄えられる。フィルタカバー４３は、フィルタ４４を介して、本体部４１の吸い込み口４１ａの前面に組み付けられるカバーである。フィルタ４４は、空気に含まれるダスト成分を除去するフィルタである。
【００６３】
ダスト採取シート５Ｇは、ダスト採取シート５Ｄと同様に、採取部および本体部を備える。本体部は、採取部の周縁部を支持する枠体であり、一方の面がフィルタ４４に貼り付けられる接着面になっている。採取部は、空気の流れに暴露されると、環境診断対象のダスト成分を空気から採取する。採取部は、例えば、空気中の塵埃を細孔で吸着するフィルタであってもよいし、粘着性によって塵埃を採取する粘着剤であってもよい。
【００６４】
本体部４１に設けられた送風ファンによって除湿機４０に吸い込まれた空気は、フィルタ４４、吸い込み口４１ａおよび本体部４１を通過して吹き出し口から吹き出される。ダスト採取シート５Ｇがフィルタ４４の一部に着脱可能に設置されることで、フィルタカバー４３を通過して吸い込み口４１ａに向かう、ダスト成分を含む空気の流通経路の一部に採取部が露出した状態となる。これにより、除湿機４０において、ダスト採取シート５Ｇが設けられた部分では、採取部によってダスト成分が採取され、ダスト採取シート５Ｇ以外の部分では、空気が流通する。
【００６５】
このように、除湿機４０では、フィルタ４４の一部にダスト採取シート５Ｇが設置されていても、フィルタ４４を通過して本体部４１へ向かう空気の流れが遮断されない。このため、除湿機４０は、空気を流通させる性能を維持しつつ、ダスト採取シート５Ｇによるダスト成分の採取を行うことができる。
【００６６】
なお、除湿機４０に対して、ダスト採取シート５Ｇの代わりに、ダスト採取スティック５を設置してもよい。この場合、ダスト採取スティック５を設置するための開口が、除湿機４０の空気の流通経路に面した壁面（例えば、本体部４１におけるフィルタカバー４３とフィルタ４４との間に対応する側面）に設けられ、漏れ防止弁が一体に形成されたパッキンが当該開口の周縁部に設けられる。このように構成された除湿機４０であっても、採取部によってダスト成分が採取され、採取部以外の部分では空気が流通するので、空気を流通させる性能を維持しつつ、ダスト採取スティック５によるダスト成分の採取を行うことができる。
【００６７】
以上のように、実施の形態４に係る除湿機４０において、ダスト採取シート５Ｇが、除湿機４０によって流通された空気の流通経路の一部に露出した状態で設置され、流通経路の空気からダスト成分を採取する。流通経路において、空気は、ダスト採取シート５Ｇが露出している部分以外を流通することができるので、除湿機４０は、空気を流通させる性能を維持しつつ、ダスト成分を採取することができる。
【００６８】
実施の形態５．
図１３Ａは、実施の形態５に係る換気扇５０を示す斜視図であり、空気を流通させる機能を有した家電製品として換気扇５０を示したものである。換気扇５０は、モータを支持する枠体５１、モータによって回転する羽根５２およびフィルタ５３を備える。また、フィルタ５３の一部には、ダスト採取シート５Ｈが設置されている。図１３Ｂは、実施の形態６に係るダスト採取シート５Ｈが設けられたフィルタ５３が図１３Ａの枠体５１から外された状態を示す斜視図である。図１３Ｂに示すように、フィルタ５３は、枠体５１に着脱可能である。
【００６９】
ダスト採取シート５Ｈは、ダスト採取シート５Ｄと同様に、採取部および本体部を備える。本体部は、採取部の周縁部を支持する枠体であり、一方の面がフィルタ５３の一部に貼り付けられる接着面になっている。採取部は、空気の流れに暴露されると、ダスト成分を空気から採取する。採取部は、例えば、空気中の塵埃を細孔で吸着するフィルタであってもよいし、粘着性によって塵埃を採取する粘着剤であってもよい。
【００７０】
羽根５２の回転によって換気扇５０に吸い込まれた屋内の空気は、フィルタ５３を通過して屋外へ送風される。ダスト採取シート５Ｈが、フィルタ５３の一部に着脱可能に設置されることにより、屋内からフィルタ５３に向かう、ダスト成分を含む空気の流通経路の一部に採取部が露出した状態となる。これにより、換気扇５０において、ダスト採取シート５Ｈが設けられた部分では、採取部によってダスト成分が採取され、ダスト採取シート５Ｈ以外の部分では、空気が流通する。
【００７１】
このように、換気扇５０では、フィルタ５３にダスト採取シート５Ｈが設置されても、フィルタ５３を通過して屋外へ向かう空気の流れが遮断されない。このため、換気扇５０は、空気を流通させる性能を維持しつつ、ダスト採取シート５Ｈによるダスト成分の採取を行うことができる。
【００７２】
なお、換気扇５０に対して、ダスト採取シート５Ｈの代わりに、ダスト採取スティック５を設置してもよい。この場合、ダスト採取スティック５を設置するための開口が、換気扇５０の空気の流通経路に面した壁面（例えば、枠体５１）に設けられて、漏れ防止弁が一体に形成されたパッキンが当該開口の周縁部に設けられる。このように構成された換気扇５０であっても、採取部によってダスト成分が採取され、採取部以外の部分では空気が流通するので、空気を流通させる性能を維持しつつ、ダスト採取スティック５によるダスト成分の採取を行うことができる。
【００７３】
以上のように、実施の形態５に係る換気扇５０において、ダスト採取シート５Ｈが、換気扇５０によって流通された空気の流通経路の一部に露出した状態で設置され、流通経路の空気からダスト成分を採取する。流通経路において、空気は、ダスト採取シート５Ｈが露出している部分以外を流通することができるので、換気扇５０は、空気を流通させる性能を維持しつつ、ダスト成分を採取することができる。
【００７４】
実施の形態６．
図１４は、実施の形態６に係る扇風機６０の前面ガード部材６３を外した状態を示す斜視図であって、空気を流通させる機能を有した家電製品として扇風機６０を示したものである。扇風機６０は、図１４に示すように、羽根６１、枠体６２および前面ガード部材６３を備える。羽根６１は、モータによって回転して風を起こす部材である。枠体６２は、羽根６１を収容するとともに、羽根６１を回転させるモータを支持する。前面ガード部材６３は、枠体６２に組み付けられて、回転した羽根６１によって発生された空気の流れを維持しつつ、羽根６１への物体の接触を防止する部材である。
【００７５】
ダスト採取テープ５Ｉは、ダスト採取テープ５Ｅと同様に、採取部とテープ部を備えている。テープ部は、一方の面が接着面になっているテープ部材であって、接着面ではない他方の面上に採取部が担持されている。採取部は、空気の流れに暴露されると、環境診断対象のダスト成分を空気から採取する。採取部は、例えば、空気中の塵埃を細孔で吸着するフィルタであってもよいし、粘着性によって塵埃を採取する粘着剤であってもよい。
【００７６】
前面ガード部材６３において、ダスト採取テープ５Ｉが貼り付けられる部分は、例えば図１４に示すように、前面ガード部材６３の裏側（羽根６１側）でかつ羽根６１の回転軸に対向した部分である。すなわち、ダスト採取テープ５Ｉが前面ガード部材６３に着脱可能に設置されることで、扇風機６０によって形成された空気の流通経路の一部に採取部が露出した状態となる。これにより、前面ガード部材６３において、採取部によってダスト成分が採取されるが、ダスト採取テープ５Ｉ以外の部分では、空気が流通する。
【００７７】
このように、扇風機６０では、前面ガード部材６３にダスト採取テープ５Ｉが設置されていても、羽根６１から扇風機６０の外側へ向かう空気の流れが遮断されない。扇風機６０は、空気を流通させる性能を維持しつつ、ダスト採取テープ５Ｉによるダスト成分の採取を行うことができる。
【００７８】
なお、扇風機６０に対して、ダスト採取テープ５Ｉの代わりに、ダスト採取スティック５を設置してもよい。この場合、ダスト採取スティック５を設置するための開口が、扇風機６０の空気の流通経路に面した壁面（例えば、枠体６２の側面）に設けられ、漏れ防止弁が一体に形成されたパッキンが当該開口の周縁部に設けられる。このように構成された扇風機６０であっても、採取部５ａによってダスト成分が採取され、採取部５ａ以外の部分では空気が流通するので、上記と同様に、空気を流通させる性能を維持しつつ、ダスト採取スティック５によるダスト成分の採取を行うことができる。
【００７９】
以上のように、実施の形態６に係る扇風機６０において、ダスト採取テープ５Ｉが、羽根６１によって流通された空気の流通経路の一部に露出した状態で設置され、流通経路の空気からダスト成分を採取する。流通経路において、空気は、ダスト採取テープ５Ｉが露出している部分以外を流通することができるので、扇風機６０は、空気を流通させる性能を維持しつつ、ダスト成分を採取することができる。
【００８０】
実施の形態１から実施の形態６までにおいて、様々なダスト採取体を示したが、本発明に係るダスト採取体は、空気の流通経路の一部に露出された状態で家電製品に設置され、流通経路の空気からダスト成分を採取することができる構造であればよく、これまで示したダスト採取体の構造に限定されるものではない。
【００８１】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【００８２】
本発明に係る家電製品は、例えば、屋内環境のダスト成分を診断する環境診断システムに利用可能である。
【符号の説明】
【００８３】
１  電気掃除機、２，４ａ，５ｂ，５ｈ，３１，４１  本体部、２ａ  外郭部、２ｂ  ハンドル、２ｃ  集塵部、３  パイプ、４  吸込口体、４ｂ  回転ブラシ、５，５Ａ  ダスト採取スティック、５Ｂ，５Ｅ，５Ｉ  ダスト採取テープ、５Ｃ  ダスト採取ブラシ部、５Ｄ，５Ｆ，５Ｇ，５Ｈ  ダスト採取シート、５ａ，５ｃ，５ｅ，５ｇ，５ｉ  採取部、５ｄ，５ｊ  テープ部、５ｆ  ブラシ部本体、１０  空気調和機、１０ａ  前面パネル、１１  ルーバー、１２，３６ａ，４４，５３  フィルタ、２１  ケース部、２１ａ  流入口、２２  集塵容器、２２ａ  第１の集塵室、２２ｂ  第２の集塵室、２２ｃ，２２ｃ１，２２ｃ２  開口、２３  フィルタ部、２４  排出部、２５  円錐部、２５ａ  旋回室、２５ａ１  第１の開口、２５ａ２  第２の開口、２６  隔壁部、２７，２８  パッキン、２７ａ，２８ａ  漏れ防止弁、３０  空気清浄機、３１ａ  吹き出し口、３２  送風ファン、３３  触媒、３４  活性炭フィルタ、３５  除菌フィルタ、３６  プレフィルタユニット、３７  吸込パネル、４０  除湿機、４１ａ  吸い込み口、４２  タンク、４３  フィルタカバー、５０  換気扇、５１，６２  枠体、５２，６１  羽根、６０  扇風機、６３  前面ガード部材。
【要約】
ダスト採取スティック（５）が、電気掃除機（１）によって流通された空気の流通経路の一部に露出した状態で電気掃除機（１）に設置され、当該流通経路の空気からダスト成分を採取する。【図１】
0006771690.tif 000002
【図２】
0006771690.tif 000003
【図３】
0006771690.tif 000004
【図４】
0006771690.tif 000005
【図５】
0006771690.tif 000006
【図６】
0006771690.tif 000007
【図７】
0006771690.tif 000008
【図８】
0006771690.tif 000009
【図９】
0006771690.tif 000010
【図１０】
0006771690.tif 000011
【図１１】
0006771690.tif 000012
【図１２】
0006771690.tif 000013
【図１３】
0006771690.tif 000014
【図１４】
0006771690.tif 000015